【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
撮像により画像を生成する撮像装置であって、
前記画像中に評価領域を設定し、該評価領域の画像信号から取得した評価情報に基づいて焦点調節処理または色調節処理を行う調節処理手段と、
前記画像中にマスク領域を設定し、該マスク領域にマスキング処理を行うマスキング処理手段とを有し、
前記調節処理手段は、前記評価領域の少なくとも一部に前記マスク領域が重なった場合に、該評価領域における前記マスク領域と重ならない範囲が増加するように前記評価領域の位置および大きさのうち少なくとも一方を変更することを特徴とする撮像装置。
【請求項２】
前記調節処理手段は、前記評価領域と前記マスク領域が重なる領域が許容される大きさを超えて重なっている場合に、該評価領域における前記マスク領域と重ならない範囲が増加するように前記評価領域の位置および大きさのうち少なくとも一方を変更することを特徴とする請求項１に記載の撮像装置。
【請求項３】
前記調節処理手段は、前記評価領域と前記マスク領域が重なる領域が許容される大きさに収まるまで該評価領域における前記マスク領域と重ならない範囲が増加するように前記評価領域の位置および大きさのうち少なくとも一方を変更することを特徴とする請求項１または２に記載の撮像装置。
【請求項４】
前記調節処理手段は、前記マスキング処理手段が設定する複数のマスク領域について、前記評価領域の少なくとも一部に重ならないかを判定することを特徴とする請求項１乃至３のいずれか１つに記載の撮像装置。
【請求項５】
撮像により画像を生成する撮像装置の制御方法であって、
前記画像中に評価領域を設定し、該評価領域の画像信号から取得した評価情報に基づいて焦点調節処理または色調節処理を行う調節処理ステップと、
前記画像中にマスク領域を設定し、該マスク領域にマスキング処理を行うマスキング処理ステップとを有し、
前記調節処理ステップでは、前記評価領域の少なくとも一部に前記マスク領域が重なった場合に、該評価領域における前記マスク領域と重ならない範囲が増加するように前記評価領域の位置および大きさのうち少なくとも一方を変更することを特徴とする撮像装置の制御方法。
【手続補正２】
【補正対象書類名】明細書
【補正対象項目名】発明の名称
【補正方法】変更
【補正の内容】
【発明の名称】マスキング機能を有する撮像装置およびその制御方法
【手続補正３】
【補正対象書類名】明細書
【補正対象項目名】０００６
【補正方法】変更
【補正の内容】
【０００６】
本発明の一側面としての撮像装置は、撮像により画像を生成する撮像装置であって、前記画像中に評価領域を設定し、該評価領域の画像信号から取得した評価情報に基づいて焦点調節処理または色調節処理を行う調節処理手段と、前記画像中にマスク領域を設定し、該マスク領域にマスキング処理を行うマスキング処理手段とを有し、前記調節処理手段は、前記評価領域の少なくとも一部に前記マスク領域が重なった場合に、該評価領域における前記マスク領域と重ならない範囲が増加するように前記評価領域の位置および大きさのうち少なくとも一方を変更することを特徴とする。
本発明の他の側面としての撮像装置の制御方法は、撮像により画像を生成する撮像装置の制御方法であって、前記画像中に評価領域を設定し、該評価領域の画像信号から取得した評価情報に基づいて焦点調節処理または色調節処理を行う調節処理ステップと、前記画像中にマスク領域を設定し、該マスク領域にマスキング処理を行うマスキング処理ステップとを有し、前記調節処理ステップでは、前記評価領域の少なくとも一部に前記マスク領域が重なった場合に、該評価領域における前記マスク領域と重ならない範囲が増加するように前記評価領域の位置および大きさのうち少なくとも一方を変更することを特徴とする。
【手続補正４】
【補正対象書類名】明細書
【補正対象項目名】００２５
【補正方法】変更
【補正の内容】
【００２５】
図８に示すように、評価枠８０１に対して許容値を超えてマスク領域８０２が重なっている場合には、コントローラ１８はステップ６０３に進む。また、図７に示すように、評価枠７０１に対して許容率を超えてマスク領域７０２が重なっていない場合（重複率が許容値以下の場合）には、コントローラ１８は、ステップ６１０に進んで、現在の評価枠の位置を維持する。
【手続補正５】
【補正対象書類名】明細書
【補正対象項目名】００３９
【補正方法】変更
【補正の内容】
【００３９】
コントローラ１８は、まずステップ１００１において、実施例１のステップ６０１と同様に、評価枠にマスク領域が重なった場合に評価枠の位置を変更する評価枠変更処理を行うか否かを判定する。この評価枠変更処理を行うか否かは、カメラのユーザが予め設定する。評価枠変更処理を行う場合は、コントローラ１８はステップ１００２に進む。また、評価枠変更処理を行わない場合は、コントローラ１８はステップ１０１１に進み、現在の評価枠の位置を維持する。
【手続補正６】
【補正対象書類名】明細書
【補正対象項目名】００４０
【補正方法】変更
【補正の内容】
【００４０】
ステップ１００２において、コントローラ１８は、実施例１のステップ６０２と同様に、マスク領域が所定の許容量を超えて評価枠に重なっているか否かを判定する。評価枠に対して許容量を超えてマスク領域が重なっている（重複率が許容値を超えている）場合は、コントローラ１８はステップ１００３に進む。また、評価枠に対して許容量を超えてマスク領域が重なっていない（重複率が許容値以下である）場合には、コントローラ１８は、ステップ１０１１に進んで、現在の評価枠の位置を維持する。
【手続補正７】
【補正対象書類名】明細書
【補正対象項目名】００５６
【補正方法】変更
【補正の内容】
【００５６】
図１４には、本実施例における評価枠１３０１の大きさを変更する処理の流れを示している。この処理は、コントローラ１８がコンピュータプログラムに従って実行する。
【手続補正８】
【補正対象書類名】明細書
【補正対象項目名】００５９
【補正方法】変更
【補正の内容】
【００５９】
ステップ１４０３では、コントローラ１８は、実施例１のステップ６０３と同様に、評価枠とマスク領域のそれぞれに代表ポイントを設定する。そして、評価枠の代表ポイントとマスク領域の代表ポイントとを比較して、マスク領域との重複率を許容値以下にできる（つまりは、所定量以上の大きさの非マスク領域が得られる）評価枠の最小の大きさを算出する。
【手続補正９】
【補正対象書類名】図面
【補正対象項目名】図３
【補正方法】変更
【補正の内容】
【図３】
2011197204.tif 000001
【手続補正１０】
【補正対象書類名】図面
【補正対象項目名】図５
【補正方法】変更
【補正の内容】
【図５】
2011197204.tif 000002
【手続補正１１】
【補正対象書類名】図面
【補正対象項目名】図７
【補正方法】変更
【補正の内容】
【図７】
2011197204.tif 000003
【手続補正１２】
【補正対象書類名】図面
【補正対象項目名】図８
【補正方法】変更
【補正の内容】
【図８】
2011197204.tif 000004
【手続補正１３】
【補正対象書類名】図面
【補正対象項目名】図１１
【補正方法】変更
【補正の内容】
【図１１】
2011197204.tif 000005